(57)【要約】【課題】ケーブルの絡まりを防止しつつ簡便に余長を保持することにより、余長の有効活用を可能にし、資源の有効活用及びネットワーク構築コストを低減することができる、ケーブルを保持する余長保持部材、８の字巻きしたケーブルを収納するケーブル用収納箱及び余長収納方法を提供する。【解決手段】余長保持部材２０は、８の字巻きしたケーブル１５を収納するケーブル用収納箱１１に使用されるものであって、板状部材２１に、余分に引き出された余長ケーブル１５Ｂを保持できる面ファスナー２２，２３，２４が設けられている。【選択図】図３
2010168091.tif 000002
【特許請求の範囲】
【請求項１】
８の字巻きしたケーブルを収納するケーブル用収納箱に使用される余長保持部材であって、
板状部材に、余分に引き出された余長ケーブルを保持できる面ファスナーが設けられていることを特徴とする余長保持部材。
【請求項２】
８の字巻きしたケーブルを収納するケーブル用収納箱であって、
外側面の少なくとも一つに、余分に引き出された余長ケーブルを保持できる面ファスナーが設けられていることを特徴とするケーブル用収納箱。
【請求項３】
８の字巻きしたケーブルを収納するケーブル用収納箱から余分に引き出された余長ケーブルを、請求項１に記載の余長保持部材または請求項２に記載のケーブル用収納箱に設けられた前記面ファスナーを用いて保持することを特徴とする余長保持方法。
【請求項４】
請求項３に記載の余長保持方法であって、
前記余長ケーブルを８の字巻きして前記面ファスナーで保持することを特徴とする余長保持方法。
【発明の詳細な説明】
【技術分野】
【０００１】
本発明は、余長保持部材、ケーブル用収納箱及び余長収納方法に関する。
【背景技術】
【０００２】
主に室内に布設されるＬＡＮケーブル、インドア用光ケーブルなどの比較的細径のケーブルの収納に、８の字巻きしたケーブルを収納するケーブル用収納箱が用いられている。このケーブル用収納箱は、ケーブルを絡めずに引き出しやすい、いわゆる８の字巻きしたケーブルの状態で収納するもので、一つの面に形成された穴からケーブルが引き出されて布設されるようになっている。このケーブル用収納箱は、使用後つまりケーブルがなくなった後に廃棄が容易となるようにダンボールを主体として形成されている（例えば、特許文献１，２参照）。
【先行技術文献】
【特許文献】
【０００３】
【特許文献１】特許第３９８６０６７号公報
【特許文献２】特開２００１−６３７８４号公報
【発明の概要】
【発明が解決しようとする課題】
【０００４】
上記ケーブル用収納箱においては、室内にケーブルを布設し終わった後、ケーブルを箱から余分に引き出した余長（例えば、５〜１０ｍ程度）が残ることがある。ケーブル用収納箱においては、この余長を箱の中に押し込んでしまうと、箱の中でケーブルが絡まってしまい、次に引き出そうとしてもスムーズに引き出せなかったり、ケーブルにキンク（折れ曲がり）が発生したりして、ケーブルが光ケーブルである場合は断線に至るなどのトラブルの原因となる。このため、布設作業後は箱の近傍でケーブルを切断し、余長は廃棄することとしている。しかしながら、このように余長を廃棄すると、資源の無駄になり、ネットワーク構築コストが増大してしまう。
【０００５】
そこで、本発明は、ケーブルの絡まりを防止しつつ簡便に余長を保持することにより、余長の有効活用を可能にし、資源の有効活用及びネットワーク構築コストを低減することができる、ケーブルを保持する余長保持部材、８の字巻きしたケーブルを収納するケーブル用収納箱及び余長収納方法を提供することを目的とする。
【課題を解決するための手段】
【０００６】
上記課題を解決することのできる本発明の余長保持部材は、８の字巻きしたケーブルを収納するケーブル用収納箱に使用される余長保持部材であって、
板状部材に、余分に引き出された余長ケーブルを保持できる面ファスナーが設けられていることを特徴とする。
【０００７】
また、本発明に係るケーブル用収納箱は、８の字巻きしたケーブルを収納するケーブル用収納箱であって、外側面の少なくとも一つに、余分に引き出された余長ケーブルを保持できる面ファスナーが設けられていることを特徴とする。
【０００８】
また、本発明に係る余長保持方法は、８の字巻きしたケーブルを収納するケーブル用収納箱から余分に引き出された余長ケーブルを、上記の余長保持部材または上記のケーブル用収納箱に設けられた前記面ファスナーを用いて保持することを特徴とする。
【０００９】
本発明に係る余長保持方法において、前記余長ケーブルを８の字巻きして前記面ファスナーで保持することが好ましい。
【発明の効果】
【００１０】
本発明の余長保持部材によれば、板状部材をケーブル用収納箱に取り付けると、この板状部材に設けられた面ファスナーで、余分に引き出された余長ケーブルをケーブル用収納箱に保持することができる。よって、ケーブルの絡まりを防止しつつ簡便に余長ケーブルをケーブル用収納箱に保持することができて保持作業が容易となり、また、余長ケーブルの取り出し作業も面ファスナーを外せば良いため容易となる。したがって、余長ケーブルを切断して廃棄する必要がなくなることから、余長ケーブルの有効活用を可能にし、資源の有効活用及びネットワーク構築コストを低減することができる。しかも、板状部材と面ファスナーとだけで構成されているため安価であり、なおかつ他のケーブル用収納箱にも再使用可能であって、さらにコスト低減を図れる。
【００１１】
本発明のケーブル用収納箱によれば、その外側面の少なくとも一つに設けられた面ファスナーで、余分に引き出された余長ケーブルを保持することができる。よって、ケーブルの絡まりを防止しつつ簡便に余長ケーブルを保持することができて保持作業が容易となり、また、余長ケーブルの取り出し作業も面ファスナーを外せば良いため容易となる。したがって、余長ケーブルを切断して廃棄する必要がなくなることから、余長ケーブルの有効活用を可能にし、資源の有効活用及びネットワーク構築コストを低減することができる。しかも、面ファスナーを設けるだけであるため安価であり、ケーブル布設作業の際には、このケーブル用収納箱だけを運搬すれば良く、作業がさらに容易になる。
【００１２】
本発明の余長保持方法によれば、板状部材またはケーブル用収納箱に設けられた面ファスナーで、余分に引き出された余長ケーブルをケーブル用収納箱に保持することができる。よって、ケーブルの絡まりを防止しつつ簡便に余長ケーブルをケーブル用収納箱に保持することができて保持作業が容易となり、また、余長ケーブルの取り出し作業も面ファスナーを外せば良いため容易となる。したがって、余長ケーブルを切断して廃棄する必要がなくなることから、余長ケーブルの有効活用を可能にし、資源の有効活用及びネットワーク構築コストを低減することができる。
【図面の簡単な説明】
【００１３】
【図１】本発明に係るケーブル用収納箱の一実施形態の側断面図である。
【図２】本発明に係る余長保持部材及びケーブル用収納箱の余長ケーブル保持前の分解斜視図である。
【図３】余長保持部材及びケーブル用収納箱の余長ケーブル保持状態の分解斜視図である。
【図４】ケーブル用収納箱の余長ケーブル保持前の分解斜視図である。
【図５】ケーブル用収納箱の余長ケーブル保持状態の分解斜視図である。
【図６】ケーブル用収納箱の余長ケーブル保持前の斜視図である。
【図７】ケーブル用収納箱の余長ケーブル保持状態の斜視図である。
【発明を実施するための形態】
【００１４】
（第１実施形態）
以下、本発明の第１実施形態について図１から図３を参照して説明する。
図１はケーブル用収納箱の側断面図、図２は余長保持部材及びケーブル用収納箱の余長ケーブル保持前の分解斜視図、図３は余長保持部材及びケーブル用収納箱の余長ケーブル保持状態の分解斜視図である。
【００１５】
図１及び図２に示すように、ケーブル用収納箱１１は外形が直方体形状とされている。このケーブル用収納箱１１は、外形を形成する直方体形状の箱本体１２と、箱本体１２内に設けられた板状の支持部材１３とを有している。これら箱本体１２及び支持部材１３はダンボールで形成されている。箱本体１２内には、主に室内に布設されるＬＡＮケーブル、インドア用光ケーブルなどの比較的細径のケーブル１５が、いわゆる８の字巻きした円環状の８の字束ケーブル１５Ａの状態で収納されている。
【００１６】
箱本体１２の一つの外側面１２ａには、引き出し穴１７が形成されており、この引き出し穴１７には、プラスチック材料などで形成されたテーパ筒状の取り出し口１８が嵌合されている。この取り出し口１８は、箱本体１２内において８の字束ケーブル１５Ａを半径方向に貫通しており、円環状の８の字束ケーブル１５Ａの内周側からケーブル１５が取り出し口１８の内側を通って箱本体１２の外側に引き出されるようになっている。なお、支持部材１３は、箱本体１２の引き出し穴１７が形成された外側面１２ａに近接して設けられており、取り出し口１８を支持する。
【００１７】
第１実施形態においては、図２に示すように、ケーブル用収納箱１１とは別体の余長保持部材２０を有している。この余長保持部材２０は、板状部材２１と、板状部材２１の表面に設けられた面ファスナー２２，２３，２４とを有している。
【００１８】
板状部材２１は、箱本体１２と同じダンボールで形成されており、矩形状をなしている。板状部材２１は、箱本体１２の引き出し穴１７が形成された外側面１２ａとは異なる、外側面１２ａと隣り合う外側面１２ｂに図示略の接着テープ等で貼り付けられて用いられる。
【００１９】
板状部材２１の表面には、水平方向に沿う水平ベース２７と鉛直方向に沿う鉛直ベース２８とが十字状に貼着されている。面ファスナー２２は、水平ベース２７とこの水平ベース２７に対して着脱自在に設けられた保持体３１とからなり、面ファスナー２３は、鉛直ベース２８の上部とこの鉛直ベース２８に対して着脱自在に設けられた保持体３２とからなる。さらに、面ファスナー２４は、鉛直ベース２８の下部とこの鉛直ベース２８に対して着脱自在に設けられた保持体３３とからなる。
【００２０】
ケーブル布設作業の後、図３に示すように、ケーブル用収納箱１１内から取り出し口１８の内側を介して引き出されたケーブル１５に、余分に引き出された余長ケーブル１５Ｂが発生すると、作業者は、箱本体１２に貼り付けられた板状部材２１の水平ベース２７から保持体３１を、鉛直ベース２８から保持体３２，３３をそれぞれ剥がす。そして、水平ベース２７及び鉛直ベース２８に、余長ケーブル１５Ｂを８の字巻きにして押さえ付け、この状態で余長ケーブル１５Ｂの水平ベース２７と交差する部分及び鉛直ベース２８と交差する部分を覆うようにして保持体３１，３２，３３を貼り付ける。これにより、余長ケーブル１５Ｂは、８の字巻きの交差部分が保持体３１及び水平ベース２７からなる面ファスナー２２で挟持され、上部が保持体３２及び鉛直ベース２８の上部からなる面ファスナー２３で挟持され、下部が保持体３３及び鉛直ベース２８の下部からなる面ファスナー２４で挟持される。以上により、余長ケーブル１５Ｂが、図３に示すように余長保持部材２０に保持され、この余長保持部材２０を介してケーブル用収納箱１１に保持される。
【００２１】
また、このようにケーブル用収納箱１１に保持された余長ケーブル１５Ｂを次の布設作業で使用する場合には、水平ベース２７から保持体３１を、鉛直ベース２８から保持体３２，３３をそれぞれ剥がし、余長ケーブル１５Ｂの保持を解除すれば良い。
【００２２】
以上に述べた第１実施形態によれば、余長保持部材２０の板状部材２１をケーブル用収納箱１１に取り付けると、この板状部材２１に設けられた面ファスナー２２，２３，２４で、余分に引き出された余長ケーブル１５Ｂをケーブル用収納箱１１に保持することができる。よって、余長ケーブル１５Ｂの長短に拘わらず、ケーブル１５の絡まりを防止しつつ簡便に余長ケーブル１５Ｂをケーブル用収納箱１１に保持することができて保持作業が容易となり、また、余長ケーブル１５Ｂの取り出し作業も面ファスナー２２，２３，２４の保持体３１，３２，３３を外せば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００２３】
しかも、余長保持部材２０が板状部材２１と面ファスナー２２，２３，２４とだけで構成されているため安価であり、なおかつ他のケーブル用収納箱にも再使用可能であって、さらにコスト低減を図れる。
【００２４】
また、余長ケーブル１５Ｂを８の字巻きして面ファスナー２２，２３，２４でケーブル用収納箱１１に保持するため、余長ケーブル１５Ｂを繰り出して使用する際に絡まりにくくなり、より簡単に作業できることになる。勿論、余長ケーブル１５Ｂを円環状に巻いて面ファスナーで板状部材２１を介してケーブル用収納箱１１に保持することも可能である。
【００２５】
（第２実施形態）
次に、本発明の第２実施形態について図４及び図５を参照して、第１実施形態との相違部分を中心に説明する。
図４はケーブル用収納箱の余長ケーブル保持前の分解斜視図、図５はケーブル用収納箱の余長ケーブル保持状態の分解斜視図である。
【００２６】
第２実施形態においては、第１実施形態の余長保持部材は用いない。図４に示すように、箱本体１２の外側面の少なくとも一つである、引き出し穴１７が形成された外側面１２ａにおける、引き出し穴１７の周囲の複数箇所に面ファスナー３６，３７が設けられている。
【００２７】
面ファスナー３６は、外側面１２ａの引き出し穴１７の上側に鉛直方向に沿って貼着された帯状の鉛直ベース４０と、この鉛直ベース４０に対して着脱されて使用される保持体４１とからなり、面ファスナー３７は、外側面１２ａの引き出し穴１７の左右両側に水平方向に貼着された帯状の一対の水平ベース４２，４３と、これら水平ベース４２，４３に対して着脱されて使用される保持体４４とからなる。
【００２８】
ケーブル布設作業の後、ケーブル用収納箱１１内から取り出し口１８の内側を介して引き出されたケーブル１５に、余分に引き出された余長ケーブル１５Ｂが発生すると、作業者は、図４に示すように箱本体１２に貼り付けられた鉛直ベース４０から保持体４１を、水平ベース４２，４３から保持体４４をそれぞれ剥がす。そして、鉛直ベース４０及び水平ベース４２，４３に、余長ケーブル１５Ｂを円環状にして引き出し穴１７を囲うようにして押さえ付ける。この状態で、余長ケーブル１５Ｂの鉛直ベース４０と交差する部分及び水平ベース４２，４３と交差する部分を覆うようにして保持体４１，４４を貼り付ける。これにより、図５に示すように、余長ケーブル１５Ｂは、円環状の上部が保持体４１及び鉛直ベース４０からなる面ファスナー３６で挟持され、左右両側部が保持体４４及び水平ベース４２，４３からなる面ファスナー３７で挟持される。以上により、余長ケーブル１５Ｂがケーブル用収納箱１１に保持される。なお、箱本体１２の外側面１２ａには、Ｘ字状あるいは十字状のスリット４６が形成されており、ケーブル用収納箱１１に保持された余長ケーブル１５Ｂの端部がこのスリット４６に差し込まれて係止される。なお、余長ケーブル１５Ｂの端部は、ケーブル収納箱１１の外面に接着テープによって貼り付けても良い。
【００２９】
また、このようにケーブル用収納箱１１に保持された余長ケーブル１５Ｂを次の布設作業で使用する場合には、鉛直ベース４０及び水平ベース４２，４３から保持体４１，４４を剥がし、余長ケーブル１５Ｂの保持を解除すれば良い。
【００３０】
以上に述べた第２実施形態によれば、ケーブル用収納箱１１の外側面の少なくとも一つである外側面１２ａに設けられた面ファスナー３６，３７で、余分に引き出された余長ケーブル１５Ｂを保持することができる。よって、余長ケーブル１５Ｂの長短に拘わらず、ケーブル１５の絡まりを防止しつつ簡便に余長ケーブル１５Ｂを保持することができて保持作業が容易となり、また、余長ケーブル１５Ｂの取り出し作業も面ファスナー３６，３７の保持体４１，４４を外せば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００３１】
しかも、ケーブル用収納箱１１に面ファスナー３６，３７を設けるだけであるため安価であり、ケーブル布設作業の際には、このケーブル用収納箱１１だけを運搬すれば良く、作業がさらに容易になる。
【００３２】
なお、第２実施形態においても、第１実施形態と同様に余長ケーブル１５Ｂを８の字巻きして面ファスナーでケーブル用収納箱１１の外側面に保持することができる。この場合は、８の字巻きの交差部分が引き出し穴１７に重なってしまうことを防止するため、箱本体１２の外側面のうち引き出し穴１７が形成された外側面１２ａ以外の外側面に、面ファスナーを設けるのが良い。
【００３３】
また、第２実施形態においては、面ファスナーを一箇所のみに設けても良い。この場合、保持性の点から、引き出し穴１７の上側の鉛直ベース４０及び保持体４１からなる面ファスナー３６のみを設けるのが良い。
【００３４】
（第３実施形態）
次に、本発明の第３実施形態について図６及び図７を参照して、第２実施形態との相違部分を中心に説明する。
図６はケーブル用収納箱の余長ケーブル保持前の斜視図、図７はケーブル用収納箱の余長ケーブル保持状態の斜視図である。
【００３５】
第３実施形態においては、図６に示すように、表面と裏面とが着脱自在となる複数の面ファスナー５０，５１，５２を用いており、このような両面タイプの面ファスナー５０，５１，５２が、箱本体１２の外側面の少なくとも一つである引き出し穴１７が形成された外側面１２ａに設けられている。
【００３６】
箱本体１２の外側面１２ａの引き出し穴１７よりも上側に上下に離れて一対の横長のスリット５４，５５が形成されており、これらスリット５４，５５に一本の面ファスナー５０が両端側を外側に配置するように挿入されている。また、箱本体１２の外側面１２ａの引き出し穴１７の左右両側にも左右に離れて二対の縦長のスリット５６，５７及びスリット５８，５９が形成されており、一方の対のスリット５６，５７に一本の面ファスナー５１が両端側を外側に配置するように挿入され、他方の対のスリット５８，５９に一本の面ファスナー５２が両端側を外側に配置するように挿入されている。
【００３７】
ケーブル布設作業の後、ケーブル用収納箱１１内から取り出し口１８の内側を介して引き出されたケーブル１５に、余分に引き出された余長ケーブル１５Ｂが発生すると、作業者は、箱本体１２に貼り付けられた面ファスナー５０，５１，５２の両端の表裏面同士を剥がし、余長ケーブル１５Ｂを円環状にして面ファスナー５０，５１，５２のそれぞれの両端同士の間に押さえ付ける。この状態で、各面ファスナー５０，５１，５２の両端の表裏面同士を貼り合わせる。これにより、図７に示すように、余長ケーブル１５Ｂは、円環状の上部が面ファスナー５０で、左右両側部が面ファスナー５１，５２で、それぞれ保持される。以上により、余長ケーブル１５Ｂがケーブル用収納箱１１に保持される。
【００３８】
また、このようにケーブル用収納箱１１に保持された余長ケーブル１５Ｂを次の布設作業で使用する場合には、面ファスナー５０，５１，５２のそれぞれの両端の表裏面同士を剥がし、余長ケーブル１５Ｂの保持を解除すれば良い。
【００３９】
以上に述べた第３実施形態によれば、ケーブル用収納箱１１の外側面の少なくとも一つである外側面１２ａに設けられた面ファスナー５０，５１，５２で、余分に引き出された余長ケーブル１５Ｂを保持することができる。よって、余長ケーブル１５Ｂの長短に拘わらず、ケーブル１５の絡まりを防止しつつ簡便に余長ケーブル１５Ｂを保持することができて保持作業が容易となり、また、余長ケーブル１５Ｂの取り出し作業も面ファスナー５０，５１，５２を外せば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００４０】
しかも、ケーブル用収納箱１１に面ファスナー５０，５１，５２を設けるだけであるため安価であり、ケーブル布設作業の際には、このケーブル用収納箱１１だけを運搬すれば良く、作業がさらに容易になる。
【００４１】
なお、第３実施形態においても、第１実施形態と同様に余長ケーブル１５Ｂを８の字巻きして面ファスナーでケーブル用収納箱１１に保持することができる。この場合は、８の字巻きの交差部分が引き出し穴１７に重なってしまうことを防止するため、箱本体１２の外側面のうち引き出し穴１７が形成された外側面１２ａ以外の外側面に、面ファスナーを設けるのが良い。
【００４２】
また、第３実施形態においても、面ファスナーを一箇所のみに設けても良い。この場合、保持性の点から、引き出し穴１７の上側の面ファスナー５０のみを設けるのが良い。
【符号の説明】
【００４３】
１１：ケーブル用収納箱、１２ａ：外側面、１５：ケーブル、１５Ａ：８の字束ケーブル、１５Ｂ：余長ケーブル、２０：余長保持部材、２１：板状部材、２２〜２４，３６，３７，５０〜５２：面ファスナー
【図１】
2010168091.tif 000003
【図２】
2010168091.tif 000004
【図３】
2010168091.tif 000005
【図４】
2010168091.tif 000006
【図５】
2010168091.tif 000007
【図６】
2010168091.tif 000008
【図７】
2010168091.tif 000009